(57)【要約】【課題】  複数のシート格納手段に対する給紙作業の際、オペレータの人為的ミスやスキル不足による意図しない印刷の停止することなくシート補給を行う。【解決手段】  印刷装置において、特定種類のシートを示す情報を受け付けた場合に、前記印刷装置で実行中及び実行待ちの印刷ジョブで使用されるシートを示す情報と、前記複数の格納手段のそれぞれに格納されているシートを示す情報とに基づいて、前記特定種類のシートを格納すべき格納手段を前記複数の格納手段の中から決定することを特徴とする。【選択図】  図１６
2013216071.tif 000002
【特許請求の範囲】
【請求項１】
印刷装置であって、
シートを格納する複数の格納手段と、
特定種類のシートを示す情報を受け付ける受付手段と、
前記受付手段が前記特定種類のシートを示す情報を受け付けた場合に、前記印刷装置で実行中及び実行待ちの印刷ジョブで使用されるシートを示す情報と、前記複数の格納手段のそれぞれに格納されているシートを示す情報とに基づいて、前記特定種類のシートを格納すべき格納手段を前記複数の格納手段の中から決定する決定手段と、
備えることを特徴とする印刷装置。
【請求項２】
前記印刷装置に投入された前記印刷ジョブのジョブスケジュール画面を表示する表示手段を備え、
前記受付手段は、前記ジョブスケジュール画面を介して入力されたユーザの指定に基づいて前記特定種類のシートを示す情報を受け付けることを特徴とする請求項１記載の印刷装置。
【請求項３】
前記決定手段は、前記特定種類のシートが前記印刷装置で実行中の印刷ジョブで使用されるシートであるか否かに基づいて、前記特定種類のシートを格納すべき格納手段を前記複数の格納手段の中から決定することを特徴とする請求項１または２記載の印刷装置。
【請求項４】
前記決定手段は、前記特定種類のシートが前記印刷装置で前記実行中の印刷ジョブで使用されるシートである場合に、前記実行中の印刷ジョブがシートなしで中断するか否かに基づいて、前記特定種類のシートを格納すべき格納手段を前記複数の格納手段の中から決定することを特徴とする請求項３に記載の印刷装置。
【請求項５】
前記決定手段は、シートの残量が少ない格納手段を優先して前記特定種類のシートを格納すべき格納手段として決定することを特徴とする請求項１乃至４のいずれか１項に記載の印刷装置。
【請求項６】
印刷システムであって、
シートを格納する複数の格納手段と、
特定種類のシートを示す情報をユーザの入力を介して受け付ける受付手段と、
前記受付手段が前記特定種類のシートを示す情報を受け付けた場合に、前記印刷システムで実行中及び実行待ちの印刷ジョブで使用されるシートを示す情報と、前記複数の格納手段のそれぞれに格納されているシートを示す情報とに基づいて、前記特定種類のシートを格納すべき格納手段を前記複数の格納手段の中から決定する決定手段と、
備えることを特徴とする印刷システム。
【請求項７】
シートを格納する複数の格納手段を備える印刷装置の制御方法であって、
特定種類のシートを示す情報を受け付ける受付工程と、
前記受付工程が前記特定種類のシートを示す情報を受け付けた場合に、前記印刷装置で実行中及び実行待ちの印刷ジョブで使用されるシートを示す情報と、前記複数の格納手段のそれぞれに格納されているシートを示す情報とに基づいて、前記特定種類のシートを格納すべき格納手段を前記複数の格納手段の中から決定する決定工程と、
備えることを特徴とする印刷装置の制御方法。
【請求項８】
請求項７記載の印刷装置の制御方法をコンピュータに実行させることを特徴とするプログラム。
【発明の詳細な説明】
【技術分野】
【０００１】
本発明は、情報処理装置から受信する印刷ジョブを処理して印刷装置がシート収納部より給紙するシートに印刷処理を行う印刷システム、印刷装置、印刷装置の制御方法及びプログラムに関するものである。
【背景技術】
【０００２】
近年、プロダクションプリント市場などの拡大により、デジタル複写機やデジタル複合機等の印刷装置を使用して、大量の印刷物を生成する機会が増えている。その一方、印刷装置の給紙トレイは、１つ当たり最大１０００枚〜２０００枚程度のカット紙を給紙するものが多い。そのため、大量の印刷物を効率良く生成するためには、印刷を停止させないように、オペレータが複数の給紙トレイに印刷に必要なシートを適切に給紙する必要がある。
【０００３】
通常、このような給紙作業は、オペレータが印刷ジョブに必要なシート枚数、印刷ジョブのスケジュール、ならびに給紙トレイのシート残量などを総合的に判断した後、給紙トレイと給紙タイミングを決定する。そのため、オペレータの人為的ミスやスキル不足により、意図せず印刷を停止させてしまうことがあった。
一方、このようなオペレータの給紙作業をサポートする方法として、特許文献１と特許文献２の方法が提案されている。
【０００４】
特許文献１の方法は、印刷ジョブ投入時にジョブが使用するシートと給紙トレイを対応付けることで、印刷開始直前に、給紙すべきシートと給紙トレイをオペレータへ通知する方法について記載されている。
また、特許文献２の方法は、シート無しエラー発生時に、給紙すべきシートの枚数と給紙トレイをオペレータに通知する方法について記載されている。
【先行技術文献】
【特許文献】
【０００５】
【特許文献１】特開２００７−１６８３８３公報
【特許文献２】特開２００３−３３０６４４公報
【発明の概要】
【発明が解決しようとする課題】
【０００６】
しかしながら、特許文献１および特許文献２の方法は、印刷ジョブの開始直前や印刷ジョブの中断時に、給紙すべきシートと給紙トレイをオペレータへ通知する方法である。そのため、印刷ジョブを停止させないように、シートを給紙すべきトレイを自動決定して、オペレータへ通知することができない。
【０００７】
本発明は、上記の課題を解決するためになされたもので、本発明の目的は、印刷装置に投入されている印刷ジョブを考慮して、複数の格納手段のうちいずれの格納手段にオペレータが所望するシートを格納すべきかを決定することができる仕組みを提供することである。
【課題を解決するための手段】
【０００８】
上記目的を達成する本発明の印刷装置は以下に示す構成を備える。
【０００９】
印刷装置であって、シートを格納する複数の格納手段と、特定種類のシートを示す情報を受け付ける受付手段と、前記受付手段が前記特定種類のシートを示す情報を受け付けた場合に、前記印刷装置で実行中及び実行待ちの印刷ジョブで使用されるシートを示す情報と、前記複数の格納手段のそれぞれに格納されているシートを示す情報とに基づいて、前記特定種類のシートを格納すべき格納手段を前記複数の格納手段の中から決定する決定手段と、備えることを特徴とする。
【発明の効果】
【００１０】
本発明によれば、印刷装置に投入されている印刷ジョブを考慮して、複数の格納手段のうちいずれの格納手段にオペレータが所望するシートを格納すべきかを決定することができる仕組みを提供することができる。
【図面の簡単な説明】
【００１１】
【図１】本実施形態を示す印刷システムの構成を示す図である。
【図２】図１に示した印刷装置の構成を示す断面図である。
【図３】図２に示した外部給紙装置と外部給紙装置の構成を説明する断面図である。
【図４】図１に示した印刷装置本体の構成を説明する断面図である。
【図５】図２に示した大容量スタッカの構成を説明する断面図である。
【図６】図１に示した印刷装置のハードウェア構成を示すブロック図である。
【図７】図１に示した情報処理装置のハードウェア構成を示すブロック図である。
【図８】印刷装置で表示するユーザインタフェース画面を示す図である。。
【図９】印刷装置で表示するユーザインタフェース画面を示す図である。
【図１０】印刷装置で表示するユーザインタフェース画面を示す図である。
【図１１】印刷装置で表示するユーザインタフェース画面を示す図である。
【図１２】印刷装置で表示するユーザインタフェース画面を示す図である。
【図１３】印刷装置の制御方法を説明するフローチャートである。
【図１４】印刷装置の制御方法を説明するフローチャートである。
【図１５】印刷装置の制御方法を説明するフローチャートである。
【図１６】印刷装置で表示するユーザインタフェース画面を示す図である。
【図１７】印刷装置で表示するユーザインタフェース画面を示す図である。
【発明を実施するための形態】
【００１２】
次に本発明を実施するための最良の形態について図面を参照して説明する。
＜システム構成の説明＞
〔第１実施形態〕
図１は、本実施形態を示す印刷システムの構成を示す図である。本例に示す印刷システムは、印刷装置１０１、情報処理装置１０２、ネットワーク１０３により構成される。
【００１３】
印刷装置１０１は、外部装置から投入された印刷ジョブに基づいて印刷を実行する。また、印刷ジョブに基づく印刷だけではなく、コピー機能や送信機能（スキャナで読み取った原稿画像を他の装置に送信する）を実行することもできる。情報処理装置１０２は例えばＰＣであり、ネットワーク１０３を介して印刷装置１０１と通信可能に構成されている。情報処理装置１０２にプリンタドライバをインストールすることで、情報処理装置１０２から印刷装置１０１に印刷ジョブを投入することができる。
図２は、図１に示した印刷装置１０１の構成を示す断面図である。
図２において、印刷装置１０１は、外部給紙装置２０１、外部給紙装置２０２、印刷装置２０３、大容量スタッカ２０４により構成される。
【００１４】
外部給紙装置２０１および外部給紙装置２０２は、印刷に使用されるシートを印刷装置２０３に提供するためのものである。印刷装置２０３は印刷装置であり、外部給紙装置２０１、外部給紙装置２０２、および印刷装置２０３に付属の給紙トレイから給紙されるシートに印刷を行う。大容量スタッカ２０４は、印刷物を大量に溜めておくことができる排紙装置であり、主に外部給紙装置２０１および外部給紙装置２０２を使った大量の印刷物を溜めておくために利用する。
【００１５】
図３は、図２に示した外部給紙装置２０１と外部給紙装置２０２の構成を説明する断面図である。なお、外部給紙装置２０１と外部給紙装置２０２は同じ構成のため、ここでは外部給紙装置２０２を例に説明する。
【００１６】
図３において、ストレートパス３１６は、給紙トレイ３０１、給紙トレイ３０２、給紙トレイ３０３、および上流側から搬送されてきたシートを下流側へ搬送するパスである。本実施形態においては、外部給紙装置２０２は、上流側に外部給紙装置２０１、下流側に印刷装置２０３が配置されている。そのため、外部給紙装置２０２はストレートパス３１６を通じて、給紙トレイ３０１、給紙トレイ３０２、給紙トレイ３０３に入っているシート、および外部給紙装置２０１から搬送されてきたシートを印刷装置２０３へ搬送する。
【００１７】
給紙トレイ３０１、給紙トレイ３０２、給紙トレイ３０３は、シートを給紙するトレイである。リフトアップモータ（不図示）を使って、給紙トレイ下部をリフトアップすることで、給紙されたシートを給紙モータ３０４、給紙モータ３０５、給紙モータ３０６に接触させることができる。この仕組みにより、シート量に関係なく給紙を行うことが可能となる。
【００１８】
給紙モータ３０４、給紙モータ３０５、給紙モータ３０６は、それぞれ、給紙トレイ３０１、給紙トレイ３０２、給紙トレイ３０３に入っているシートを１枚単位で引き出し、搬送経路に送り出すことで、シートをストレートパス３１６まで搬送する。
【００１９】
給紙センサ３０７、給紙センサ３０８、給紙センサ３０９は、それぞれ、給紙トレイ３０１、給紙トレイ３０２、給紙トレイ３０３から用紙が正常に搬送されたことを確認するためのセンサである。このセンサを利用すると、一定時間内に用紙が搬送されなかった場合は、遅延ジャムが発生したと判定したり、給紙トレイから給紙した枚数を算出することなどが可能になる。
【００２０】
残量センサ３１０、残量センサ３１１、残量センサ３１２は、シート量を検知するセンサであり、給紙モータと給紙トレイ下部との間の高さを計測するものである。残量センサ３１０、残量センサ３１１、残量センサ３１２は、計測した高さとシート１枚当たりの厚みとに基づいて、シートが何枚残っているかを検知する。給紙トレイ下部は、シート残量が少なくなるに従って、リフトアップモータにより給紙モータに近づく。そのため、残量センサ３１０、残量センサ３１１、残量センサ３１２を使って、給紙トレイ内のシート量を検知できる。
【００２１】
オープン用モータ３１３、オープン用モータ３１４、オープン用モータ３１５は、給紙トレイ３０１、給紙トレイ３０２、給紙トレイ３０３を手前に引き出す場合に使うモータである。オープン用モータ３１３、オープン用モータ３１４、オープン用モータ３１５を使うことで、オペレータが物理的に給紙トレイを引き出さなくても、給紙トレイをオープンすることが可能となる。
【００２２】
図４は、図１に示した印刷装置２０３の構成を説明する断面図である。
【００２３】
図４において、自動原稿搬送装置（ＡＤＦ）４０１は、原稿トレイの積載面にセットされた原稿束を１頁目の原稿から、ページ順に、順番に分離して、スキャナ４０２によって原稿走査するために原稿台ガラス上へ搬送する。
【００２４】
スキャナ４０２は、原稿台ガラス上に搬送された原稿の画像を読み取り、ＣＣＤによって画像データに変換する。回転多面鏡（ポリゴンミラー等）４０３は、画像データに応じて変調された、例えばレーザ光などの光線を入射させ、反射ミラーを介して反射走査光として感光ドラム４０４に照射する。感光ドラム４０４上に前記レーザ光によって形成された潜像はトナーによって現像され、転写ドラム４０５上に貼り付けられたシートに対してトナー像を転写する。この一連の画像形成プロセスをイエロー（Ｙ）、マゼンタ（Ｍ）、シアン（Ｃ）、ブラック（Ｋ）のトナーに対して順次実行することによりフルカラー画像が形成される。４回の画像形成プロセスの後に、フルカラー画像形成された転写ドラム４０５上のシートは、分離爪４０６によって分離され、定着前搬送器４０７によって定着器４０８へ搬送される。
【００２５】
定着器４０８は、ローラやベルトの組み合わせによって構成され、ハロゲンヒータなどの熱源を内蔵し、トナー像が転写されたシート上のトナーを、熱と圧力によって溶解、定着させる。排紙フラッパ４０９は、揺動軸を中心に揺動可能に構成され、シートの搬送方向を規定する。排紙フラッパ４０９が図中時計回りの方向に揺動しているときには、シートは真直ぐに搬送され、排紙ローラ４１０によって機外へ排出される。
【００２６】
一方、シートの両面に画像を形成する際には、排紙フラッパ４０９が図中反時計回りの方向に揺動し、シートは下方向に進路を変更され両面搬送部へと送り込まれる。両面搬送部は、反転フラッパ４１１、反転ローラ４１２、反転ガイド４１３および両面トレイ４１４を具備する。
【００２７】
反転フラッパ４１１は、揺動軸を中心に揺動可能に構成され、シートの搬送方向を規定する。両面印刷ジョブを処理する場合は、反転フラッパ４１１を図中反時計回りの方向に揺動させることで、シートの第１面にプリント済みのシートが、反転ローラ４１２を介して、反転ガイド４１３へと送り込まれる。
【００２８】
そして、シート後端が反転ローラ４１２に狭持された状態で反転ローラ４１２を一旦停止させ、引き続き反転フラッパ４１１が図中時計回りの方向に揺動させる。且つ、反転ローラ４１２を逆方向に回転させる。これにより、該シートスイッチバックして搬送させ、シートの後端と先端が入れ替わった状態で、該シートが両面トレイ４１４へと導かれる。
【００２９】
両面トレイ４１４ではシートを一旦積載し、その後、再給紙ローラ４１５によってシートは再びレジストローラ４１６へと送り込まれる。このときシートは、１面目の転写工程とは反対の面が感光ドラムと対向する側になって送られてきている。そして、上述したプロセスと同様にして該シートの第２面に対して２面目の画像を形成させる。そして、シートの両面に画像が形成され、定着工程を経て排紙ローラ４１０を介して印刷装置本体内部から機外へと該シートを排出させる。
以上のような一連の両面印刷シーケンスを実行することで、両面印刷ジョブのシートの第１面と第２面の各面に対する両面印刷を本印刷装置により実行可能にする。
【００３０】
給紙トレイ４１７は、シートを給紙するトレイである。リフトアップモータ（不図示）を使って、給紙トレイ下部をリフトアップすることで、給紙されたシートを給紙モータ４１８に接触させることができる。この仕組みより、シート量に関係なく給紙を行うことが可能となる。
【００３１】
給紙モータ４１８は、給紙トレイ４１７に入っているシートを１枚単位で引き出し、搬送経路に送り出すものである。給紙センサ４１９は、給紙トレイ４１７から用紙が正常に搬送されたことを確認するためのセンサである。このセンサを利用すると、一定時間内に用紙が搬送されなかった場合は、遅延ジャムが発生したと判定したり、給紙トレイから給紙した枚数を算出することなどが可能になる。
【００３２】
残量センサ４２０は、シート量を検知するセンサであり、給紙モータ４１８と給紙トレイ下部との間の高さを計測するものである。残量センサ４２０は、計測した高さとシート１枚当たりの厚みとに基づいて、シートが何枚残っているかを検知する。給紙トレイ下部は、シート残量が少なくなるに従って、リフトアップモータにより給紙モータに近づく。そのため、残量センサ４２０を使って、給紙トレイ内のシート量を検知できる。
【００３３】
オープン用モータ４２１は、給紙トレイ４１７を手前に引き出す場合に使うモータである。オープン用モータ４２１を使うことで、オペレータが物理的に給紙トレイを引き出さなくても、給紙トレイ４１７をオープンすることが可能となる。
【００３４】
給紙トレイ４１７から送り出されたシートは搬送ガイドの間を案内され、複数の搬送ローラによってレジストローラ４１６まで搬送される。このときレジストローラ４１６は停止しており、シートの先端がレジストローラ４１６対で形成されるニップ部に突き当たり、シートがループを形成し斜行が補正される。
【００３５】
その後、画像形成部において感光ドラム４０４上に形成されるトナー像のタイミングに合わせて、レジストローラ４１６は回転を開始してシートを搬送する。レジストローラ４１６により送られたシートは、吸着ローラ４２２によって転写ドラム４０５表面に静電気的に吸着される。定着器４０８から排出されたシートは、排紙ローラ４１０を介して機外に排出される。
ネットワークコネクタ４２３は、ネットワーク１０３と接続するための接続部である。たとえば、ネットワーク１０３がイーサネット（登録商標）である場合は、RJ-45形状の接続部となる。
【００３６】
図５は、図２に示した大容量スタッカ２０４の構成を説明する断面図である。
【００３７】
図５において、大容量スタッカ２０４は、ストレートパス５０１、エスケープパス５０２およびスタックパス５０３の３つの搬送経路を含む。また、大容量スタッカ２０４は、エスケープトレイ５０４およびスタックトレイ５０５を含む。ストレートパス５０１は、印刷装置２０３から受取ったシートを搬送するため搬送路である。
【００３８】
エスケープパス５０２は、シートをスタックせずに、排出したい場合に用いられる。例えば、排出の確認作業（プルーフプリント）等を行う場合に、エスケープパス５０２からエスケープトレイ５０４にシートを排出させる。なお、この大容量スタッカ内部のシート搬送路には、シートの搬送状況やジャムを検知するための複数の検知センサが設けられている。
【００３９】
スタックパス５０３は、当該装置が具備する積載ユニットにシートを搬送するための搬送経路である。例えば、オペレータから積載処理の要求を受付けた場合、シートは、スタックパス５０３を経由して、スタックトレイ５０５へ排紙される。
【００４０】
スタックトレイ５０５は、伸縮可能なステイ５０６の上に載置される積載ユニットである。このスタックトレイ５０５とステイ５０６との結合部には、ショックアブソーバ等が付けられている。伸縮可能なステイ５０６の下は、台車５０７となっている。台車５０７は、不図示の取っ手を付けることにより、上に載せたスタック出力を別のオフラインフィニッシャなどに運べるようになっている。
【００４１】
また、スタッカ部の前ドアが閉まっている場合、伸縮可能なステイ５０６は、スタック出力が積載されやすい上の位置に上昇する。一方、前ドアがオペレータにより開けられる（或いは、開ける指示がなされる）と、スタックトレイ５０５は、取出しやすいように下降する仕組みになっている。
以上の構成により、大容量スタッカ２０４は、大量の印刷物をスタックトレイ５０５に排紙したり、サンプルプリントなどの少量印刷物をエスケープトレイ５０４に排紙することができる。
図６は、図１に示した印刷装置１０１のハードウェア構成を示すブロック図である。
【００４２】
図６において、ＣＰＵ回路部６０５はＣＰＵ６０６を有し、ＲＯＭ６０７に格納されているプログラムをＲＡＭ６０８上で実行することによって、次に示す各制御部をコントロールする。ここで、制御部とは、原稿給送装置制御部６０１、イメージリーダ制御部６０２、画像信号制御部６０３、プリンタ制御部６０４、外部給紙装置制御部６０９、スタッカ制御部６１０、ＨＤＤ  Ｉ／Ｆ部６１１、ネットワークＩ／Ｆ部６１２である。
【００４３】
原稿給送装置制御部６０１は、自動原稿搬送装置４０１を制御する。イメージリーダ制御部６０２は、スキャナ４０２を制御する。プリンタ制御部６０４は、感光ドラム４０４、定着器４０８、給紙トレイ４１７等を制御する。外部給紙装置制御部６０９は、外部給紙装置２０１、外部給紙装置２０２を制御する。
【００４４】
スタッカ制御部６１０は、大容量スタッカ２０４を制御する。ＨＤＤ  Ｉ／Ｆ部６１１は、ＨＤＤ６１３とのインタフェースであり、ＨＤＤ６１３に対する書き込みや読み出しを制御する。ネットワークＩ／Ｆ部６１２は、ネットワーク１０３を介したデータの送受信を制御する。ＨＤＤ６１３は、大容量記憶装置であり、不揮発性のデータを保存する領域である。
【００４５】
ＲＡＭ６０８は制御データを一時的に保持する領域や、制御に伴う演算の作業領域として用いられる。ネットワークＩ／Ｆ部６１２は、ネットワーク１０３を介して情報処理装置１０２と接続されている。
【００４６】
なお、イメージリーダ制御部６０２から画像信号制御部６０３へはスキャナ４０２で読み取られた画像データが出力される。そして、画像信号制御部６０３からプリンタ制御部６０４へ出力された画像データはプリンタエンジンにより画像形成され、給紙トレイ４１７などから給紙したシートに印刷される。その後、印刷されたシートは、ユーザ指定の出力形態に応じて後処理を施される。
【００４７】
ここで、後処理とは、スタッカ制御部６１０より施される処理を示す。例えば、シートが大容量スタッカ２０４に排紙される場合は、スタッカ制御部６１０が後処理を行う。例えば、スタッカ制御部６１０は、指定された排紙先に応じて、エスケープトレイ５０４やスタックトレイ５０５にシートを排紙する制御を行う。
操作部６１４には、後述する各種操作画面を表示可能な表示部（タッチパネル機能を有する液晶表示部）やキーボードが備えられている。
図７は、図１に示した情報処理装置１０２のハードウェア構成を示すブロック図である。
【００４８】
図７において、７０１はＣＰＵで、ＲＯＭ７０７、ＨＤＤ７０９及びＣＤＤ７０６に格納された制御プログラムに基づいてＣＰＵデバイスに接続された各デバイスを制御する。
【００４９】
７０２は表示部であり、その表示画面には、例えばウインドウ、アイコン、メッセージ、メニューその他のユーザインタフェース情報が表示される。７０３はＶＲＡＭ（ビデオランダムアクセスメモリ）であり、表示部７０２に表示するための画像が描画される。このＶＲＡＭ７０３に生成された画像データは、所定の規定に従って表示部７０２に転送され、これにより表示部７０２に画像が表示される。
【００５０】
７０４はキーボードであり、文字入力を行うための各種キーを有する。７０５はポインティングデバイス（ＰＤ）であり、例えば、表示部７０２の表示画面上に表示されたアイコン、メニューその他のオブジェクトを指示するために使用される。
【００５１】
７０６はコンパクトディスクドライブ（ＣＤＤ）であり、ＣＤ−ＲＯＭや、ＣＤ−Ｒなどの記録シートとの間で各種制御プログラムやデータの読み書きを行う装置である。これはＤＶＤドライブであってもよい。
【００５２】
７０７はリードオンリメモリ（ＲＯＭ）であり、各種の制御プログラムやデータを保持する。７０８はランダムアクセスメモリ（ＲＡＭ）でありＣＰＵ７０１のワーク領域、エラー処理時のデータの退避領域、制御プログラムのロード領域等を有する。例えば、情報処理装置１０２は、電子データをＲＩＰして印刷装置１０１へ送信する機能を有している。そのプログラムはＲＯＭ７０７に格納されており、ＲＩＰ処理を行う際にはＣＰＵ７０１のワーク領域やＲＡＭ７０８を利用する。
【００５３】
７０９は内部記録装置としてのＨＤＤ（ハードディスクドライブ）であり、各種制御プログラムや各種データを保存する。７１０は外部記録Ｉ／Ｆ部であり、ＵＳＢメモリなどの外部記録媒体への読み書きを行う装置である。
【００５４】
７１１はネットワーク・インタフェース（Ｎｅｔ−Ｉ／Ｆ）であり、ネットワーク１０３を介して、印刷装置１０１とデータの送受信を行うことができる。７１２はＣＰＵバスであり、アドレスバス、データバス及びコントロールバスを含む。
【００５５】
次に、印刷装置１０１の操作部６１４に表示される各種操作画面について図８〜図１２を用いて説明する。図８は、印刷装置１０１が提供する機能のうち、所望の機能をユーザが選択するための画面である。操作部６１４はタッチパネルで構成されていて、ユーザはボタン８０１〜８０５のいずれかをタッチすることで、所望の機能を利用することができる。なお、本実施形態では図８の画面は初期画面として操作部６１４に表示されることとするが、図８の画面を表示する前にユーザ認証を行う画面（不図示）を表示するようにしても構わない。
【００５６】
ボタン８０１は、印刷装置１０１が提供するコピー機能を利用するためのボタンである。ユーザがボタン８０１をタッチすることで、不図示のコピー設定画面が表示される。ボタン８０２は、印刷装置１０１が提供するＳｃａｎ機能を利用するためのボタンである。Ｓｃａｎ機能とは、スキャナ４０２が原稿を読み取って生成した画像データをＨＤＤ６１３などに保存する機能である。ユーザがボタン８０２をタッチすることで、不図示のＳｃａｎ設定画面が表示される。ボタン８０３は、印刷装置１０１が提供する送信機能を利用するためのボタンである。ユーザがボタン８０３をタッチすることで、不図示の送信設定画面が表示される。
【００５７】
ボタン８０４をユーザがタッチすると、トレイに格納されるシートの種類をユーザが確認するための画面が操作部６１４に表示される。このとき表示される画面については、図９で詳しく説明する。ボタン８０５をユーザがタッチすると、印刷装置１０１に投入されている印刷ジョブ（実行中の印刷ジョブと実行待ちの印刷ジョブ）の実行スケジュールをユーザが確認するための画面が操作部６１４に表示される。このとき表示される画面については、図１１に示すジョブスケジュール画面を用いて詳しく説明する。
【００５８】
図９は、トレイに格納されるシートの種類をユーザが確認するための画面であり、印刷装置１０１の操作部６１４に表示される。９０２には、印刷装置１０１の外観図と、印刷装置１０１が備える給紙トレイが表示される。ボタン９０３〜９０９は印刷装置１０１が備える給紙トレイを示し、それぞれ給紙トレイ４１７、外部給紙装置２０２の給紙トレイ３０１、給紙トレイ３０２、給紙トレイ３０３、外部給紙装置２０２の３つの給紙トレイに対応する。なお、外部給紙装置が増えた場合など、印刷装置１０１の給紙トレイの数に変更があれば、その都度９０２に表示される内容が変更される。ボタン９０３〜９０９には、各給紙トレイには、それぞれ１種類のシートが対応付けられている。この対応付けは、印刷装置１０１ＨＤＤ６１３などに記憶される。
【００５９】
図９の画面を用いて、ユーザは印刷装置１０１の各給紙トレイに登録されているシートの種類を変更することができる。具体的には、ユーザはまずボタン９０３〜９０９のいずれかを選択した後に、登録ボタン９０１をタッチする。すると、操作部６１４に図１０に示す画面が表示される。図１０の１００１には、印刷装置１０１で使用可能なシートが表示される。図１０では９種類のシートが表示されているが、バー１００２を用いてスクロールさせることで、使用可能なシートが全種類表示される。
【００６０】
ユーザが１００１で所望の種類のシートを選択してＯＫボタン１００３をタッチすると、選択した種類のシートが図９で選択した給紙トレイに登録される。キャンセルボタン１００４がタッチされると、図１０の画面から図９の画面に戻る。
【００６１】
図１１は、印刷装置１０１に投入されている印刷ジョブの実行スケジュールをユーザが確認するための画面であり、印刷装置１０１の操作部６１４に表示される。１１０５には、印刷装置１０１に投入されているジョブが表示されている。図１１は、Ｊｏｂ１〜４の４つのＪｏｂが投入されている場合を示している。１１０４はＪｏｂ１〜４がそれぞれいつ実行されるかを、時間軸１１０３に沿って示している。本実施形態では、Ｊｏｂ１が実行中の印刷ジョブであり、Ｊｏｂ１に続いてＪｏｂ２、Ｊｏｂ３、Ｊｏｂ４の順番で印刷ジョブが実行される。時間軸１１０３は分単位で時間を示していて、Ｊｏｂ１が現在実行中であること、Ｊｏｂ２が１２分後に実行されることを示している。
【００６２】
１１０２は、印刷装置１０１に投入されている印刷ジョブで使用されるシートの種類を示している。図１１では、Ｊｏｂ１で使用されるシートが「Ａ４  普通紙」であること、Ｊｏｂ２で使用されるシートが「ＬＴＲ  普通紙」であることがわかる。なお、印刷ジョブで使用されるシートは、印刷装置１０１に投入された印刷ジョブにおいて指定される。
【００６３】
図１１の画面を確認することで、ユーザは印刷ジョブで使用されるシートの残量を確認することができる。例えば、「ＬＴＲ  普通紙」は「多い」と表示されているため、Ｊｏｂ２の実行が完了するまでの間、ずっと残量が多いことがわかる。印刷装置１０１のシートの残量が第１の閾値（例えば１００枚）より多い場合は、「多い」と表示する。なお、閾値は１００枚に限らず、ユーザの指定に応じて他の値に変更することができる。
【００６４】
図１１の画面において、「Ａ３  コート紙」はＪｏｂ４が実行されるときに「少ない」と表示されているため、Ｊｏｂ４の実行が開始されるときには残量が少なくなっていることがわかる。本実施形態では、シートの残量が前記第１の閾値以下の枚数になった場合に、「少ない」と表示する。
【００６５】
また、Ｊｏｂ１では、Ｊｏｂ１が完了する前に「Ａ４  普通紙」の残量が「少ない」から「無し」に変わっている。これは、「Ａ４  普通紙」の残量がＪｏｂ１が完了する前に０枚になり、紙なしエラーとなることを示している。本実施形態では、シートの残量と印刷ジョブで使用されるシートの枚数とに基づいて、シート残量が「多い」から「少ない」に変わるタイミング、そして「少ない」から「無し」に変わるタイミングをＣＰＵ６０６が算出している。
【００６６】
図１１の画面においてＪｏｂ１に注目すると、「Ａ４  普通紙」はＪｏｂ１が完了する前に残量が０枚になることが分かる。「Ａ４  普通紙」の残量が０枚になり紙なしエラーで印刷が停止してしまうと、後続のＪｏｂ２〜４の実行の開始が遅くなってしまう。「Ａ４  普通紙」の残量が０枚になる前にユーザが「Ａ４  普通紙」を印刷装置１０１に補給することが望ましいが、もし「ＬＴＲ  普通紙」が格納されている給紙トレイに「Ａ４  普通紙」を補給すると、「ＬＴＲ  普通紙」を使用するＪｏｂ２が実行されるときに再度紙なしエラーで印刷が停止してしまう。つまり、ユーザは実行中の印刷ジョブだけでなく、実行待ちのジョブで使用されるシートの種類を考慮してシートを補給する給紙トレイを決定する必要があり、ユーザの負荷が増加してしまう。このユーザの負荷を軽減するための機能として、印刷装置１０１は次に説明する機能をユーザに提供する。
【００６７】
図１１の画面において、ユーザが「Ａ４  普通紙」の残量が０枚になる前に補給したいと考えるとする。このとき、ユーザは１１０２で「Ａ４  普通紙」を選択し、そしてボタン１１０１をタッチすれば良い。詳細後述の図１３〜１５のフローチャートを用いて説明するが、ＣＰＵ６０６はユーザが「Ａ４  普通紙」を補給する適切な給紙トレイを決定するための決定処理を実行し、決定処理によって決定した給紙トレイに「Ａ４  普通紙」を補給するようにユーザに通知する。
【００６８】
図１１の画面において、１１０２に表示されるシートとは異なる種類のシートを補給したいとユーザが考える場合もある。その場合は、ユーザはボタン１１０６をタッチすれば良い。ユーザがボタン１１０６をタッチすると、操作部６１４にすべての種類のシートの中からユーザが所望の種類のシートを選択することができる画面が表示され、ユーザは補給したいシートの種類を指定することができる。このとき操作部６１４に表示される画面は、図１０の画面と同様の画面のため説明は省略する。
【００６９】
次に、ユーザが指定する種類のシートを補給する適切な給紙トレイを決定するための決定処理について、図１３〜図１５に示すフローチャートを用いて説明する。なお、図１３〜図１５の各ステップは、印刷装置１０１のＣＰＵ６０６がＲＯＭ６０７等のメモリに格納されたプログラムをＲＡＭ６０８に展開して実行することによって処理される。
【００７０】
まずステップＳ１３０１において、ＣＰＵ６０６はユーザによる特定種類のシートの指定を受け付ける。特定種類のシートの指定は、操作部６１４に表示される図１１の１１０２や、ボタン１１０６をタッチすることで表示される図１０の画面を介してユーザによって入力される。ここで指定されるシートは、ユーザが補給したいと考えているシートを示す。なお、ステップＳ１３０１で受け付けた特定種類のシートを、以降では指定シートと呼ぶことする。
【００７１】
次にステップＳ１３０２において、ＣＰＵ６０６はステップＳ１３０１で受け付けた指定シートが実行中の印刷ジョブで使用されるシートであるか否かを判定する。図１１を例に説明すると、指定シートがＪｏｂ１で使用する「Ａ４  普通紙」であれば、指定シートが実行中の印刷ジョブで使用されるシートであると判定されてステップＳ１３０３に進む。一方、指定シートが「Ａ４  普通紙」でなければ、指定シートが実行中の印刷ジョブで使用されるシートではないと判定されて図１５に示すステップＳ１５０１に進む。Ｓ１５０１以降の処理は後述の図１５で詳しく説明する。
【００７２】
次にステップＳ１３０３について説明する。ここから説明するステップＳ１３０３〜Ｓ１３０８では、指定シートが実行中の印刷ジョブで使用されるシートである。ステップＳ１３０３において、ＣＰＵ６０６は実行中の印刷ジョブが現在紙なしエラーで停止しているか否かを判定する。実行中の印刷ジョブが現在紙なしエラーで停止しているとＣＰＵ６０６が判定した場合、ステップＳ１３０４に進む。一方、実行中の印刷ジョブが現在紙なしエラーで停止していないとＣＰＵ６０６が判定した場合、図１４に示すステップＳ１４０１に進む。Ｓ１４０１以降の処理は後述の図１４で詳しく説明する。
【００７３】
次にステップＳ１３０４について説明する。ここでは指定シートが実行中の印刷ジョブで使用されるシートであり、かつ実行中の印刷ジョブが紙なしエラーで停止しているため、早急に指定シートを補給することが望ましい。ステップＳ１３０４において、ＣＰＵ６０６は指定シートが印刷装置１０１の備える給紙トレイのいずれかに登録されているか否か（格納されているか否か）を判定する。本実施形態では、図９の画面において指定シートがボタン９０３〜９０９に対応する給紙トレイのいずれかに登録されている場合に、ＣＰＵ６０６は指定シートが印刷装置１０１の備える給紙トレイのいずれかに登録されていると判定し、ステップＳ１３０５に進む。ステップＳ１３０４で指定シートが印刷装置１０１の備える給紙トレイのいずれかに登録されていると判定される場合、指定シートが登録されている給紙トレイが紙なしエラーが発生している給紙トレイである。
【００７４】
ステップＳ１３０５において、ＣＰＵ１３０５は指定シートが登録されている給紙トレイに指定シートを補給するようにユーザに通知する。例えば指定シートが「ＬＴＲ  普通紙」であり、図９で示すようにシートが各給紙トレイに登録されている場合には、「ＬＴＲ  普通紙」をボタン９０６に対応する給紙トレイ３０３に補給するようにユーザに通知する。この通知は、操作部６１４が図１２（ａ）に示す画面を表示することによって実現される。なお、図１２（ａ）では、紙なしエラーが発生していることもユーザに通知される。
【００７５】
一方、ステップＳ１３０４において、指定シートが印刷装置１０１の備える給紙トレイのいずれにも登録されていないとＣＰＵ６０６が判定した場合、ステップＳ１３０６に進む。そしてステップＳ１３０６において、ＣＰＵ６０６は、実行待ちの印刷ジョブで使用されない給紙トレイがあるか否かを判定する。本実施形態では、実行待ちの印刷ジョブで使用されないシートが登録された給紙トレイが存在すれば、実行待ちの印刷ジョブで使用されない給紙トレイがあるとＣＰＵ６０６が判定し、ステップＳ１３０７に進む。
【００７６】
ステップＳ１３０７において、ＣＰＵ６０６は、実行待ちの印刷ジョブで使用されない給紙トレイに指定シートを補給するようにユーザに通知する。例えば指定シートが「Ａ４  薄紙」で、実行待ちの印刷ジョブで使用されないシートが給紙トレイ４１７に登録されていれば、「Ａ４  薄紙」を給紙トレイ４１７に補給するようにユーザに通知する（図１２（ａ）と同様の画面）。仮に実行待ちの印刷ジョブで使用されるシートが登録された給紙トレイに指定シートを補給してしまうと、実行待ちの印刷ジョブを実行するときに当該印刷ジョブが紙なしエラーで停止してしまうという問題がある。ステップＳ１３０７の処理によって、この問題を解消することができる。なお、実行待ちの印刷ジョブで使用されない給紙トレイが複数存在する場合には、シート残量が最も少ない給紙トレイに指定シートを補給するようにユーザに通知することとする。これにより、指定シートを補給する補給対象の給紙トレイに格納されるシートを取り除くときのユーザの手間が軽減される。
【００７７】
一方、ステップＳ１３０６において、実行待ちの印刷ジョブで使用されないシートが登録された給紙トレイが存在しなければ、実行待ちの印刷ジョブで使用されない給紙トレイがないとＣＰＵ６０６が判定し、ステップＳ１３０８に進む。そしてステップＳ１３０８において、ＣＰＵ６０６は指定シートを補給する補給対象の給紙トレイを特定し、特定した給紙トレイに指定シートを補給するようにユーザに通知する（図１２（ａ）と同様の画面）。本実施形態では、すべての給紙トレイの中からシート残量が最も少ない給紙トレイを補給対象の給紙トレイとして特定することとするが、特定の方法はこれに限定されるものではない。他には、実行待ちの印刷ジョブのうち、最後に実行される印刷ジョブで使用される給紙トレイに指定シートを補給するようにユーザに通知しても良い。
【００７８】
次に図１４について説明する。図１４に示す処理は、指定シートが実行中の印刷ジョブで使用され、かつ実行中の印刷ジョブが現在紙なしエラーで停止していないとＣＰＵ６０６が判定した場合（ステップＳ１３０３でＮｏ）に実行される処理である。
【００７９】
ステップＳ１４０１において、ＣＰＵ６０６は、実行中の印刷ジョブが使用していない給紙トレイに指定シートが登録されているか否かを判定する。ステップＳ１４０１において、実行中の印刷ジョブが使用していない給紙トレイに指定シートが登録されていると判定された場合には、ステップＳ１４０６に進む。ステップＳ１４０６において、指定シートが登録されている給紙トレイに指定シートを補給するようにユーザに通知する。この通知は、操作部６１４が図１２（ｂ）に示す画面を表示することによって実現される。図１２（ｂ）は、例えば指定シートが「ＬＴＲ  薄紙」であり、図９で示すようにシートが各給紙トレイに登録されている場合に表示される画面を示す。一方、ステップＳ１４０１において、実行中の印刷ジョブが使用していない給紙トレイに指定シートが登録されていないと判定された場合には、ステップＳ１４０２に進む。
【００８０】
ステップＳ１４０２において、ＣＰＵ６０６は、実行待ちの印刷ジョブで使用されない給紙トレイがあるか否かを判定する。実行待ちの印刷ジョブで使用されない給紙トレイがあるとＣＰＵ６０６が判定した場合には、ステップＳ１４０７に進む。そしてステップＳ１４０７において、ＣＰＵ６０６は、実行待ちの印刷ジョブで使用されない給紙トレイに指定シートを補給するようにユーザに通知する（図１２（ｂ）と同様の画面）。なお、実行待ちの印刷ジョブで使用されない給紙トレイが複数存在する場合には、シート残量が最も少ない給紙トレイに指定シートを補給するようにユーザに通知することとする。一方、ステップＳ１４０２において、実行待ちの印刷ジョブで使用されない給紙トレイがないとＣＰＵ６０６が判定した場合には、ステップＳ１４０３に進む。
【００８１】
ステップＳ１４０３において、ＣＰＵ６０６は実行中の印刷ジョブが完了前に紙なしエラーで中断するか否かを判定する。この判定は、図１１に示す印刷ジョブの実行スケジュールに基づいて行われる。ステップＳ１４０３において、実行中の印刷ジョブが完了前に紙なしエラーで中断しないとＣＰＵ６０６が判定した場合には、ステップＳ１４０８に進む。
【００８２】
ステップＳ１４０８において、ＣＰＵ６０６は実行中の印刷ジョブが完了した後に実行中の印刷ジョブで使用している給紙トレイに指定シートを補給するようにユーザに通知する。この通知は、操作部６１４が図１２（ｃ）に示す画面を表示することによって実現される。図１２（ｃ）の画面では、図１１に示す印刷ジョブの実行スケジュールに基づいて、実行中の印刷ジョブがいつ完了するかもユーザに通知される。図１２（ｃ）は、例えば指定シートが「ＬＴＲ  普通紙」であり、図９で示すようにシートが各給紙トレイに登録され、実行中の印刷ジョブが３分後に完了する場合に表示される画面を示す。ステップＳ１４０８では、実行中の印刷ジョブが完了前に紙なしエラーで中断しないため、ジョブの完了を待ってから指定シートの補給を行うようにユーザに通知する。また、実行待ちの印刷ジョブで使用される給紙トレイに指定シートを補給させないため、実行待ちの印刷ジョブを実行するときに紙なしエラーで停止してしまうことを防止することができる。
【００８３】
一方、ステップＳ１４０３において実行中の印刷ジョブが完了前に紙なしエラーで中断するとＣＰＵ６０６が判定した場合には、ステップＳ１４０４に進む。ステップＳ１４０４において、ＣＰＵ６０６は実行待ちの印刷ジョブで使用される給紙トレイに指定シートを補給するか否かを判定する。この判定は、まず操作部６１４が図１６（ａ）に示す画面を表示し、ユーザがボタン１６０１とボタン１６０２のどちらを選択したかに基づいて実行される。図１６（ａ）の画面でユーザがボタン１６０１を選択すると、ステップＳ１４０４においてＣＰＵ６０６は実行待ちの印刷ジョブで使用される給紙トレイに指定シートを補給すると判定し、ステップＳ１４０５に進む。
【００８４】
ステップＳ１４０５において、ＣＰＵ６０６は指定シートを補給する補給対象の給紙トレイを特定し、特定した給紙トレイに指定シートを補給するようにユーザに通知する。この通知は、操作部６１４が図１６（ｂ）に示す画面を表示することによって実現される。本実施形態では、実行待ちの印刷ジョブで使用される給紙トレイの中からシート残量が最も少ない給紙トレイを優先的に補給対象の給紙トレイとして特定することとするが、特定の方法はこれに限定されるものではない。他には、実行待ちの印刷ジョブのうち、最後に実行される印刷ジョブで使用される給紙トレイに指定シートを補給するようにユーザに通知しても良い。図１６（ｂ）は、指定シートが「ＬＴＲ  普通紙」であり、シート残量が最も少ない給紙トレイが給紙トレイ３０３と特定された場合に表示される画面を示す。ステップＳ１４０５では、実行待ちの印刷ジョブで使用されない給紙トレイはないが、実行中の印刷ジョブが停止することを防ぐために、実行待ちの印刷ジョブで使用される給紙トレイにシートを補給するようにユーザに通知する。
【００８５】
一方、ステップＳ１４０４において実行待ちの印刷ジョブで使用される給紙トレイに指定シートを補給しないと判定すると、ステップＳ１４０９に進む。本実施形態では、図１６（ａ）に示す画面でユーザがボタン１６０２を選択した場合にステップＳ１４０９に進む。
【００８６】
ステップＳ１４０９において、ＣＰＵ６０６は実行中の印刷ジョブを一時停止して指定シートを補給するか否かを判定する。この判定は、まず操作部６１４が図１６（ｃ）に示す画面を表示し、ユーザがボタン１６２１とボタン１６２２のどちらを選択したかに基づいて実行される。図１６（ｃ）の画面でユーザがボタン１６２１を選択すると、ステップＳ１４０９においてＣＰＵ６０６は実行中の印刷ジョブを一時停止して指定シートを補給すると判定し、ステップＳ１４１０に進む。一方、図１６（ｃ）の画面でユーザがボタン１６２２を選択すると、ステップＳ１４０９においてＣＰＵ６０６は実行中の印刷ジョブを一時停止して指定シートを補給しないと判定し、ステップＳ１４１１に進む。
【００８７】
ステップＳ１４１０において、ＣＰＵ６０６は実行中の印刷ジョブを一時停止して、実行中の印刷ジョブで使用される給紙トレイに指定シートを補給するようにユーザに通知する。この通知は、操作部６１４が図１６（ｄ）に示す画面を表示することによって実現される。ユーザが指定シートを補給すると、一時停止していた印刷ジョブの実行が再開される。図１６（ｄ）は、指定シートが「ＬＴＲ  普通紙」であり、実行中の印刷ジョブで使用される給紙トレイが給紙トレイ３０１である場合に表示される画面を示す。図１６（ｄ）では、実行中の印刷ジョブが一時停止している旨もユーザに通知される。
【００８８】
次にステップＳ１４１１の説明を行う。ステップＳ１４１１において、ＣＰＵ６０６は実行中の印刷ジョブが紙なしエラーで中断した後に実行中の印刷ジョブで使用される給紙トレイに指定シートを補給するようにユーザに通知する。この通知は、操作部６１４が図１６（ｅ）に示す画面を表示することによって実現される。図１６（ｅ）は、指定シートが「ＬＴＲ  普通紙」であり、実行中の印刷ジョブで使用される給紙トレイが給紙トレイ３０１である場合に表示される画面を示す。図１６（ｅ）の画面では、図１１に示す印刷ジョブの実行スケジュールに基づいて、実行中の印刷ジョブがいつ紙なしエラーで中断するかもユーザに通知される。
【００８９】
次に図１５について説明する。図１５に示す処理は、指定シートが実行中の印刷ジョブで使用されないシートであるとＣＰＵ６０６が判定した場合（ステップＳ１３０２でＮｏ）に実行される処理である。
【００９０】
ステップＳ１５０１において、ＣＰＵ６０６は指定シートが印刷装置１０１の備える給紙トレイのいずれかに登録されているか否か（格納されているか否か）を判定する。ステップＳ１５０１ではステップＳ１３０４と同様の判定が実行される。ステップＳ１５０１において指定シートが印刷装置１０１の備える給紙トレイのいずれかに登録されているとＣＰＵ６０６が判定すると、ステップＳ１５０５に進む。一方、ステップＳ１５０１において指定シートが印刷装置１０１の備える給紙トレイのいずれにも登録されていないとＣＰＵ６０６が判定すると、ステップＳ１５０２に進む。
【００９１】
ステップＳ１５０５において、ＣＰＵ６０６は指定シートが登録されている給紙トレイに指定シートを補給するようにユーザに通知する。この通知は、操作部６１４が図１２（ｂ）と同様の画面を表示することによって実現される。
【００９２】
次にステップＳ１５０２について説明する。ステップＳ１５０２において、ＣＰＵ６０６は実行中及び実行待ちの印刷ジョブで使用されない給紙トレイがあるか否かを判定する。ステップＳ１５０２において実行中及び実行待ちの印刷ジョブで使用されない給紙トレイがあるとＣＰＵ６０６が判定した場合には、ステップＳ１５０６に進む。一方、ステップＳ１５０２において実行中及び実行待ちの印刷ジョブで使用されない給紙トレイがないとＣＰＵ６０６が判定した場合には、ステップＳ１５０３に進む。
【００９３】
ステップＳ１５０６において、ＣＰＵ６０６は実行中及び実行待ちの印刷ジョブで使用されない給紙トレイに指定シートを補給するようにユーザに通知する。この通知は、操作部６１４が図１２（ｂ）と同様の画面を表示することによって実現される。なお、実行中及び実行待ちの印刷ジョブで使用されない給紙トレイが複数存在する場合には、シート残量が最も少ない給紙トレイに指定シートを補給するようにユーザに通知することとする。
【００９４】
次にステップＳ１５０３について説明する。ステップＳ１５０３において、ＣＰＵ６０６は指定シートが実行待ちの印刷ジョブで使用されるシートであるか否かを判定する。図１１を例に説明すると、指定シートがＪｏｂ２、Ｊｏｂ３、Ｊｏｂ３のいずれかで使用されるシートであれば、ステップＳ１５０３において指定シートが実行待ちの印刷ジョブで使用されるシートであるとＣＰＵ６０６が判定し、ステップＳ１５０４に進む。一方、指定シートがＪｏｂ２、Ｊｏｂ３、Ｊｏｂ３のいずれにも使用されないシートであれば、ステップＳ１５０３において指定シートが実行待ちの印刷ジョブで使用されるシートではないとＣＰＵ６０６が判定し、ステップＳ１５０７に進む。
【００９５】
ステップＳ１５０４において、ＣＰＵ６０６は実行中の印刷ジョブが完了した後に実行中の印刷ジョブで使用している給紙トレイに指定シートを補給するようにユーザに通知する。この通知は、操作部６１４が図１２（ｃ）と同様の画面を表示することによって実現される。ここでは指定シートは実行待ちの印刷ジョブで使用されるシートであるが、すぐに指定シートを補給可能な給紙トレイがない（実行中及び実行待ちの印刷ジョブで使用されない給紙トレイがない）ため、実行待ちの印刷ジョブの完了を待ってから実行中の印刷ジョブで使用している給紙トレイに指定シートを補給するようにユーザに通知する。
【００９６】
次にステップＳ１５０７について説明する。ここでは指定シートは実行待ちの印刷ジョブで使用されるシートではなく、かつ実行中及び実行待ちの印刷ジョブで使用されない給紙トレイがないため、指定シートを印刷装置１０１に補給する必要性は低いと考えられる。本実施形態ではこれを鑑み、ステップＳ１５０７において、ＣＰＵ６０６は指定シートを補給する必要がないことをユーザに通知する。この通知は、操作部６１４が図１７に示す画面を表示することによって実現される。
【００９７】
なお、指定シートが実行中及び実行待ちの印刷ジョブで使用されるシートではなくても、実行中及び実行待ちの印刷ジョブで使用されない給紙トレイがある場合には、ステップＳ１５０６において実行中及び実行待ちの印刷ジョブで使用されない給紙トレイに指定シートを補給するようにユーザに通知する。つまり本実施形態によれば、指定シートが実行中及び実行待ちの印刷ジョブで使用されるシートではない場合には、実行中及び実行待ちの印刷ジョブで使用されない給紙トレイがあるか否かに応じて、指定シートを補給するようにユーザに通知するか否かが切り替わる。
【００９８】
以上のように本実施形態によれば、補給をしたいとユーザが指定した指定シートをいずれの給紙トレイに補給するかを、実行中及び実行待ちの印刷ジョブで使用されるシートの種類と、各給紙トレイに格納されているシートの種類とに基づいて決定することができる。
【００９９】
なお、本実施形態では各種画面を印刷装置１０１の操作部６１４が表示するものとして説明したが、各種画面は情報処理装置１０２の表示部７０２やユーザが備える携帯端末に表示するように構成してもよい。その際、画面を表示するために必要な情報はネットワーク１０３や不図示の無線ＬＡＮを介して印刷装置１０１から情報処理装置１０２や携帯端末に送信される。
【０１００】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【０１０１】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【０１０２】
１０１  印刷装置
１０２  情報処理装置
１０３  ネットワーク
２０１  外部給紙装置
２０２  外部給紙装置
２０３  印刷装置本体
２０４  大容量スタッカ
【図１】
2013216071.tif 000003
【図２】
2013216071.tif 000004
【図３】
2013216071.tif 000005
【図４】
2013216071.tif 000006
【図５】
2013216071.tif 000007
【図６】
2013216071.tif 000008
【図７】
2013216071.tif 000009
【図８】
2013216071.tif 000010
【図９】
2013216071.tif 000011
【図１０】
2013216071.tif 000012
【図１１】
2013216071.tif 000013
【図１２】
2013216071.tif 000014
【図１３】
2013216071.tif 000015
【図１４】
2013216071.tif 000016
【図１５】
2013216071.tif 000017
【図１６】
2013216071.tif 000018
【図１７】
2013216071.tif 000019